(57)【要約】【課題】従来よりも小型であり使い勝手のよい照明付きボタンを提供する。【解決手段】２個の発光ダイオードＬＤ１，ＬＤ２と、発光ダイオードＬＤ１，ＬＤ２に電力を供給する二次電池２と、二次電池２に充電電流を供給する太陽電池３と、二次電池２から発光ダイオードＬＤ１，ＬＤ２への電力供給を制御する制御回路４と、発光ダイオードＬＤ１，ＬＤ２、二次電池２、太陽電池３、制御回路４が実装される立体成形回路基板からなるボタン本体１０とを備えている。立体成形回路基板からなるボタン本体１０に発光ダイオードＬＤ１，ＬＤ２、二次電池２、太陽電池３、制御回路４が実装されているので、従来例のように別体の電池ケースをボタン本体と電線で接続する必要が無く、従来よりも小型であり使い勝手のよい照明付きボタンが実現できる。【選択図】        図１
2009005777.tif 000002
【特許請求の範囲】
【請求項１】
１乃至複数の発光ダイオードと、発光ダイオードに電力を供給する二次電池と、二次電池に充電電流を供給する太陽電池と、二次電池から発光ダイオードへの電力供給を制御する制御回路と、発光ダイオード、二次電池、太陽電池、制御回路が実装される立体成形回路基板からなり、中央部に糸孔が貫設されたボタン本体とを備えたことを特徴とする照明付きボタン。
【請求項２】
制御回路は、太陽電池の出力電圧を監視し当該出力電圧が所定の閾値より低いときに二次電池から発光ダイオードへ電力を供給させることを特徴とする請求項１記載の照明付きボタン。
【請求項３】
ボタン本体は、発光ダイオード、二次電池、太陽電池、制御回路がそれぞれ収納される複数の収納凹部が設けられ、各収納凹部が封止樹脂により封止されてなることを特徴とする請求項１又は２記載の照明付きボタン。
【請求項４】
ボタン本体の表面に光を反射する反射層が設けられたことを特徴とする請求項１〜３の何れか１項に記載の照明付きボタン。
【発明の詳細な説明】
【技術分野】
【０００１】
本発明は、衣服等に取り付けられる照明付きボタンに関するものである。
【背景技術】
【０００２】
従来、夜間における歩行者の安全確保等を目的としてコートのような衣服に取り付けられる、豆電球を内蔵した照明付きボタンが提案されている（例えば、特許文献１参照）。この従来例は、豆電球を内蔵したボタン本体と、ボタン本体と電線で接続されて豆電球に電源を供給する電池を収納した電池ケースとで構成されており、電池ケースを衣服のポケットに収納し、電池ケースに付設されているスイッチを入切することで豆電球を点滅させるものであった。
【特許文献１】実開昭４９−４４４０４号公報
【発明の開示】
【発明が解決しようとする課題】
【０００３】
しかしながら、上記従来例の構造ではボタン本体と電池ケースが別体であったために携帯性やデザインの面で実用的ではなく、使い勝手が悪かった。
【０００４】
本発明は上記事情に鑑みて為されたものであり、その目的は、従来よりも小型であり使い勝手のよい照明付きボタンを提供することにある。
【課題を解決するための手段】
【０００５】
請求項１の発明は、上記目的を達成するために、１乃至複数の発光ダイオードと、発光ダイオードに電力を供給する二次電池と、二次電池に充電電流を供給する太陽電池と、二次電池から発光ダイオードへの電力供給を制御する制御回路と、発光ダイオード、二次電池、太陽電池、制御回路が実装される立体成形回路基板からなり、中央部に糸孔が貫設されたボタン本体とを備えたことを特徴とする。
【０００６】
請求項１の発明によれば、立体成形回路基板からなるボタン本体に発光ダイオード、二次電池、太陽電池、制御回路が実装されているので、従来例のように別体の電池ケースをボタン本体と電線で接続する必要が無く、従来よりも小型であり使い勝手のよい照明付きボタンが実現できる。
【０００７】
請求項２の発明は、請求項１の発明において、制御回路は、太陽電池の出力電圧を監視し当該出力電圧が所定の閾値より低いときに二次電池から発光ダイオードへ電力を供給させることを特徴とする。
【０００８】
請求項２の発明によれば、太陽電池の出力電圧に基づいて周囲の明るさを判断し、周囲が所定の明るさよりも暗くなったときに自動的に発光ダイオードを発光させることで使い勝手がさらに向上する。
【０００９】
請求項３の発明は、請求項１又は２の発明において、ボタン本体は、発光ダイオード、二次電池、太陽電池、制御回路がそれぞれ収納される複数の収納凹部が設けられ、各収納凹部が封止樹脂により封止されてなることを特徴とする。
【００１０】
請求項３の発明によれば、封止樹脂で封止することによって防水性が向上する。
【００１１】
請求項４の発明は、請求項１〜３の何れか１項の発明において、ボタン本体の表面に光を反射する反射層が設けられたことを特徴とする。
【００１２】
請求項４の発明によれば、発光ダイオードが発光していないときでも、例えば、自動車のヘッドライトから放射される光をボタン本体表面の反射層で反射することにより歩行者の安全確保が図れる。
【発明の効果】
【００１３】
本発明によれば、立体成形回路基板からなるボタン本体に発光ダイオード、二次電池、太陽電池、制御回路が実装されているので、従来例のように別体の電池ケースをボタン本体と電線で接続する必要が無く、従来よりも小型であり使い勝手のよい照明付きボタンが実現できる。
【発明を実施するための最良の形態】
【００１４】
以下、図面を参照して本発明の実施形態を詳細に説明する。本実施形態は、図１に示すように複数（図示例では２個）の発光ダイオードＬＤ１，ＬＤ２と、発光ダイオードＬＤ１，ＬＤ２に電力を供給する二次電池２と、二次電池２に充電電流を供給する太陽電池３と、二次電池２から発光ダイオードＬＤ１，ＬＤ２への電力供給を制御する制御回路４と、発光ダイオードＬＤ１，ＬＤ２、二次電池２、太陽電池３、制御回路４が実装される立体成形回路基板からなるボタン本体１０とを備えている。
【００１５】
図２は本実施形態の回路ブロック図を示しており、２個の発光ダイオードＬＤ１，ＬＤ２が制御回路４を介して二次電池２の両極間に並列に接続されている。また、二次電池２の正極にはダイオードＤのカソードが接続され、このダイオードＤのアノードに太陽電池３の正極が接続されるとともに、太陽電池３の負極が二次電池２の負極と接続されており、太陽電池３の出力がダイオードＤを介して供給されることで二次電池２を充電している。制御回路４は、太陽電池３の出力電圧を所定の閾値と比較し、出力電圧が閾値よりも低いときに二次電池２から電力を供給させて発光ダイオードＬＤ１，ＬＤ２を発光（点灯または点滅）させる。
【００１６】
図１（ａ）は本実施形態の斜視図、同図（ｂ）は（ａ）のＸ−Ｘ’線断面図をそれぞれ示している。ボタン本体１０は、扁平な円盤状であって厚み方向に貫通する一対の糸孔１４，１４が形成された立体成形回路基板からなる。ボタン本体１０の表面には、発光ダイオードＬＤ１，ＬＤ２が収納される一対の第１収納凹部１１，１１と、二次電池２及び太陽電池３が収納される第２収納凹部１２と、制御回路４が収納される第３収納凹部１３とが糸孔１４，１４の周囲を囲む形でほぼ等間隔に並設されている。
【００１７】
第１収納凹部１１，１１はすり鉢状に形成されており、その底面に白色光を放射する発光ダイオードＬＤ１，ＬＤ２が各々実装されている。なお、第１収納凹所１１，１１の底面並びに周面はめっき等による鏡面加工が施されており、発光ダイオードＬＤ１，ＬＤ２から放射される白色光を効率よく前方（図１における上方）へ照射できるようになっている。
【００１８】
第２収納凹部１２の内周面には段部１２ａが形成され、二次電池２が底面側に実装されるとともに、段部１２ａ上に太陽電池３が実装される。すなわち、二次電池２と太陽電池３が重なる形で第２収納凹部１２に収納されるが、太陽電池３には第２収納凹部１２の開口を通して外光が入射可能となっている。なお、図示は省略しているが、第１〜第３収納凹部１１，１２，１３及びボタン本体１０の表面には導体パターンが形成されており、当該導体パターンで発光ダイオードＬＤ１，ＬＤ２、二次電池２、太陽電池３、制御回路４、ダイオードＤ（図１では図示せず）を電気的に接続することによって図２に示した回路が構成されている。
【００１９】
また第１〜第３収納凹部１１〜１３はそれぞれ封止樹脂で封止される。但し、少なくとも第１収納凹部１１，１１については透明な封止樹脂で封止される。このように封止樹脂で封止することによって防水性を向上することができる。
【００２０】
上述のように構成される本実施形態の照明付きボタンはボタン本体１０の中央に一対の糸孔１４，１４が貫設されているため、例えば、児童が身に付ける雨合羽や上着等の衣服の他、ランドセルや雨傘などにも容易に取り付けることができ、取付状態において発光ダイオードＬＤ１，ＬＤ２が発光することで昼夜を問わずに視認性を高めて安全を確保することができる。しかも、立体成形回路基板からなるボタン本体１０に発光ダイオードＬＤ１，ＬＤ２、二次電池２、太陽電池３、制御回路４が実装されているので、従来例のように別体の電池ケースをボタン本体と電線で接続する必要が無く、従来よりも小型であり使い勝手のよい照明付きボタンが実現できる。さらに、制御回路４は太陽電池３の出力電圧を監視し当該出力電圧が所定の閾値より低いときに二次電池２から発光ダイオードＬＤ１，ＬＤ２へ電力を供給させるので、太陽電池３の出力電圧に基づいて周囲の明るさを判断し、周囲が所定の明るさよりも暗くなったときに自動的に発光ダイオードＬＤ１，ＬＤ２を発光させることで使い勝手がさらに向上する。
【００２１】
なお、二次電池２と太陽電池３を第２収納凹部１２内に重ねて収納する代わりに、図３に示すように二次電池２を第２収納凹部１２に収納し、太陽電池３と制御回路４を第３収納凹部１３に並べて収納するようにしても構わない。また、ボタン本体１０表面にアルミナや酸化チタン、硫酸バリウムなどからなる反射層を形成すれば、発光ダイオードが発光していないときでも、例えば、自動車のヘッドライトから放射される光をボタン本体表面の反射層で反射することにより歩行者の安全確保が図れる。
【図面の簡単な説明】
【００２２】
【図１】本発明の実施形態を示し、（ａ）は斜視図、（ｂ）は（ａ）のＸ−Ｘ’線断面図である。
【図２】同上の回路ブロック図である。
【図３】同上の別の構造を示す斜視図である。
【符号の説明】
【００２３】
ＬＤ１，ＬＤ２  発光ダイオード
２  二次電池
３  太陽電池
４  制御回路
１０  ボタン本体
【図１】
2009005777.tif 000003
【図２】
2009005777.tif 000004
【図３】
2009005777.tif 000005